(57)【要約】【課題】  管理している河川や道路の敷地関係資料の有無、種類及び保管場所などの詳細情報を容易に知ることができる道路及び河川敷地等管理資料検索装置を提供すること。【解決手段】  道路地図１４上の道路の両側に沿って表示バー３０が設けられている。表示バー３０は管理している資料の有無を示しており、表示バー３０が資料あり表示（塗りつぶしているエリア）である場合にはそのエリアに対応する道路及びその周辺の敷地関係の資料が保管されていることを示している。また、表示バー３０は資料の種類毎に配置されて表示バー群２８ａを構成しており、道路地図１４を見ることにより管理している資料の種類や有無を簡単に知ることができるようになっている。【選択図】      図３
0003117587.tif 000002
【実用新案登録請求の範囲】
【請求項１】
複数の道路或いは河川の地図から目的とする地図を探し出すための地図検索手段と、探し出した地図に記載されている道路或いは河川に沿った各地域と関連のある資料の情報が記載された資料一覧を呼び出すための資料一覧呼出手段とを有した管理資料検索装置において、
前記地図上の道路或いは河川の長さ方向に沿って複数のマークを連ねた表示バーを設け、前記資料一覧に関係資料が記載されている前記地域と対応する箇所の前記表示バーのマークと、前記資料一覧に関係資料が記載されていない前記地域と対応する箇所の表示バーのマークとを識別可能としたことを特徴とする管理資料検索装置。
【請求項２】
前記地図上において、道路或いは河川の片側或いは両側に前記表示バーを設けたことを特徴とする、請求項１に記載の管理資料検索装置。
【請求項３】
前記表示バーは、前記資料一覧に記載の前記資料の種類毎に設けたことを特徴とする、請求項１に記載の管理資料検索装置。
【考案の詳細な説明】
【技術分野】
【０００１】
本考案は、管理資料検索装置に関し、特に道路や河川などに沿った場所に対応する資料の有無を容易に確認可能な管理資料検索装置に関する。
【背景技術】
【０００２】
従来、河川や道路に関連した多種の敷地関係資料は、ファイリングして保管場所に保管されている。また、これらの敷地関係資料は書類の種類毎に敷地関係資料一覧が作成されている。そのため、目的とする敷地関係資料の有無及びその保管場所を知るためには、各敷地関係資料一覧に目を通して調べる必要があり、非常に手間がかかっていた。特に、資料が存在しない場合には敷地関係資料一覧に最後まで目を通さなければ資料の無いことを確認できず、効率が悪かった。また、敷地関係資料の有無を容易に知るために、敷地関係資料に記載の場所と対応する地図（紙の地図）上の領域を色付けしておくことが考えられるが、それを各敷地関係地図と関連付けることが困難であった。
【考案の開示】
【考案が解決しようとする課題】
【０００３】
本考案は、上記のような技術的課題に鑑みてなされたものであり、その目的とするところは、管理している地域の河川や道路の敷地関係資料の有無、種類及び保管場所などの詳細情報を容易に知ることができる道路及び河川敷地等の管理資料検索装置を提供することにある。
【課題を解決するための手段】
【０００４】
本考案にかかる管理資料検索装置は、複数の道路或いは河川の地図から目的とする地図を探し出すための地図検索手段と、探し出した地図に記載されている道路或いは河川に沿った各地域と関連のある資料の情報が記載された資料一覧を呼び出すための資料一覧呼出手段とを有した管理資料検索装置において、前記地図上の道路或いは河川の長さ方向に沿って複数のマークを連ねた表示バーを設け、前記資料一覧に関係資料が記載されている前記地域と対応する箇所の前記表示バーのマークと、前記資料一覧に関係資料が記載されていない前記地域と対応する箇所の表示バーのマークとを識別可能としたことを特徴としている。
【０００５】
本考案の管理資料検索装置は、道路或いは河川に沿って表示バーを設け、資料がある地域と資料の無い地域とを表示バーで区別するようにしているので、地図を見れば容易に資料の有る場所と無い場所を判断することができる。また、閲覧している地図と関係する資料の資料一覧を呼び出すことができるので、表示バーが資料ありを示すマークになっている地域の資料の詳細情報を簡単に取得することができる。
【０００６】
本考案にかかる管理資料検索装置の実施態様は、前記地図上において、道路或いは河川の片側或いは両側に前記表示バーを設けたことを特徴としている。
【０００７】
本考案の該実施態様は、道路或いは河川の両側に記号を設けているので、道路の上り車線側の地域と下り車線側の地域を区別したり、河川のどちら側の岸かを区別したりすることができる。
【０００８】
本考案にかかる管理資料検索装置の別な実施態様は、前記表示バーは、前記資料一覧に記載の前記資料の種類毎に設けたことを特徴としている。
【０００９】
本考案の該実施態様は、資料毎に資料の有無を示す表示バーを設けているので、複数種類の資料を管理しているような場合には、地図上のある場所においてどの種類の資料が管理されているのかを地図を見ることで把握できる。
【考案を実施するための最良の形態】
【００１０】
以下、本考案の実施例を図面に従って詳細に説明する。
【実施例１】
【００１１】
図１に本実施例１にかかる敷地管理資料検索装置１のブロック図を示す。敷地管理資料検索装置１は、道路などに関する資料の有無及びその所在を検索する装置である。敷地管理資料検索装置１は、マイコン１０（特にパソコン）、入力装置１１、表示装置１２及び記憶装置１３により構成されている。
【００１２】
入力装置１１は、キーボード、マウスやタッチパッドなどであり、敷地管理資料検索装置１の使用者からの命令をマイコン１０に入力する為の装置である。マイコン１０は、記憶装置１３に格納されている検索処理プログラムとデータに従って敷地管理資料検索装置１を制御するものである。すなわち、マイコン１０は入力装置１１、表示装置１２及び記憶装置１３とケーブルや無線送受信機などで接続されており、図１に示すように、入力装置１１からの信号を受け取り、その信号に応じてデータ処理を行い表示装置１２に結果を表示させる。表示装置１２は、ＣＲＴモニタや液晶モニタなどでありマイコン１０からの命令に応じた画像を使用者に表示するものである。記憶装置１３はハードディスク、ＣＤ−ＲＷ或いはＤＶＤ−ＲＷなどの読み書きが可能な記録媒体であり、道路地図１４の電子データ、敷地管理資料一覧１５の電子データ及び検索処理プログラムが格納されている。
【００１３】
なお、この敷地管理資料検索装置１の検索処理プログラムやＧＵＩ表示などは、エクセル（商標：Ｍｉｃｒｏｓｏｆｔ社製）等の市販の表計算ソフトを利用して構成されているので、予めパソコンにエクセル等がインストールされている場合には、比較的小規模のプログラム（ソフトウェア）を追加インストールするだけで済む。よって、ノートパソコンのように記憶装置の容量が小さい場合でも用いることができ、また、特殊なソフトウェアのように使用方法に習熟する手間を省くことができる。もちろん、これらの制限がない場合には、他のデータベースソフトを利用したり、Ｃ言語などによりプログラミングしても差し支えない。
【００１４】
図２に敷地管理資料一覧１５の内容を示す。敷地管理資料一覧１５には情報項目欄２０と情報記入欄２１が設けられており、情報項目欄２０は資料保管情報欄２２と資料詳細情報欄２３に区分けされている。さらに資料保管情報欄２２には、例えば資料の整理番号、保管場所、起案日、決裁日などの項目が設けられ、資料詳細情報欄２３には、例えば資料の種類、名称、作成人、土地の所在、道路の上下線の別、距離標（道路に沿った出発点からの距離）、関係する道路地図１４の附図番号などの項目が設けられている。なお、情報項目欄２０の各項目には使用者が必要と考える任意項目を設ければよい。
【００１５】
また、情報記入欄２１は、使用者が各資料毎に情報項目欄２０の各項目に対応した情報を記録するようになっている。これにより敷地管理資料一覧１５を見れば敷地管理資料一覧１５に記載されている各資料の概要を一目で知ることができる。また、敷地管理資料一覧１５は資料の種類毎に作成されている。また、資料の種類は使用者の分類方法に従って任意に決めればよい。
【００１６】
道路地図１４は、道路周辺の地図を道路毎にその道路の始点から終点までを複数の区間に分割した各区間の地図である。官庁や事業所などで必要とする道路及び道路の区間に対応する道路地図１４が記憶装置１３内に電子データとして格納されている。また、道路地図１４はラスタデータに変換されて記憶装置１３内に格納されている。
【００１７】
図３及び図４は、表示装置１２に道路地図１４の一部を表示させた状態を示す。図３は道路αの下り車線側の地図を表示させた状態、図４は道路αの上り車線側の地図を表示させた状態を示す図である。図３及び図４の左側にはメニューツール２５が表示され、右側には道路地図１４が表示されている。
【００１８】
図３の右側の道路地図１４には、道路αの下り側車線に沿って複数の表示バー３０からなる下り側表示バー群２８ａが表示されている。図４の右側の道路地図１４には、道路αの上り側車線に沿って複数の表示バー３０からなる上り側表示バー群２８ｂが表示されている。図３又は図４の表示バー３０は、それぞれ道路敷地管理資料一覧１５の種類と同じ数だけ設けられている。下り側表示バー群２８ａを構成する各表示バー３０は、道路αの下り側車線又は上り側車線に沿った地域を表しており、一定距離毎のエリアに区分されている。また、上り側表示バー群２８ｂを構成する各表示バー３０も、道路αの上り側車線又は下り側車線に沿った地域を表しており、一定距離毎のエリアに区分されている。それぞれの表示バー３０は着色の有無によって、そのエリアに対応するそれぞれの資料が有るか無いかを一目でわかるようになっている。また、異なる表示バー３０には異なる色で着色表示できるようにしている。なお、図３及び図４においては表示装置１２に道路地図１４全体を表示させることができないため下り側表示バー群２８ａ或いは上り側表示バー群２８ｂの一方のみを表示させている。本実施例においては、表示バー３０が塗りつぶされているエリアが資料ありのエリアを示し、白抜きのエリアが資料なしのエリアを示している。また、表示バー３０の左端（或いは右端）には表示バー説明欄２９が設けられており、それぞれの表示バー３０がどの種類の資料の有無を示しているかがわかるようになっている。例えば、図示例では、表示バー説明欄２９には、「２４条関係」、「確定関係」、「明示関係」等が表示されている。
【００１９】
また、メニューツール２５には、道路地図１４の附図番号や距離標などが表示された道路地図情報欄２４、各道路敷地管理資料一覧１５を表示させるための一覧表示ボタン２７及び表示バー３０を編集するための表示バー編集ボタン２６などが配置されている。
【００２０】
また、一覧表示ボタン２７は資料の種類と同じ数だけ配置されており、いずれかの一覧表示ボタン２７を押すと対応した敷地管理資料一覧１５が画面に表示されるようになっている。また、表示バー編集ボタン２６は資料の種類と同じ数だけ配置されており、図５に示すように表示バー３０の編集したいエリアを選択した状態（図５中のエリアＸ）で資料の種類に対応した表示バー編集ボタン２６を押すことにより、図６に示すように選択したエリア（図６中のエリアＸ）の表示バー３０の着色の有無を切り換える事ができるようになっている。また、表示バー編集ボタン２６は敷地管理資料一覧１５の種類と同数だけ配置されているので、表示バー３０に着色する色を資料の種類毎に変えることができ、それぞれの資料について、ひと目で資料のあるエリアがわかるようになっている。
【００２１】
また、新しい道路地図１４を追加した場合などにおいては、図７（ａ）〜（ｃ）に示したような表示ブロック（マーク）３１ａ〜３１ｃを組み合わせて道路地図１４上に貼り付けていくことにより、任意の形状の表示バー３０を形成することができるようになっている。また、これにより表示バー３０は表示ブロック３１ａ〜３１ｃの長さのエリア毎に区切られることになる。
【００２２】
また、検索処理プログラムを起動すると、図８及び図９に示したように調べたい道路及びその道路の所定のエリアに対応する道路地図１４を検索するための検索画面３２及び３３が順次表示される。検索画面３２及び３３に一点鎖線Ａ〜Ｆで囲んで示したように道路名、行政地名、距離標、交差点名、附図番号及び特定施設名などのさまざまな情報から目的の道路地図１４を容易に探し出すことができるようになっている。
【００２３】
図１０は、敷地管理資料検索装置１の操作の流れを説明したフロー図である。図１０に従って、敷地管理資料検索装置１の操作の流れを説明する。まず、敷地管理資料検索装置１を起動して記憶装置１３から検索処理プログラムが読み込まれると、表示装置１２には図８に示すように検索画面３２が表示される（ステップＳ１）。検索画面３２には、道路名選択エリアＡが表示されている。検索画面３２で調べたい道路を選択したら、さらに図９に示すような検索画面３３が表示される。
【００２４】
この検索画面３３には、行政地名から道路名を検索するための行政地名検索リストＢ、距離標から道路名を検索するための検索窓Ｃ、交差点名から道路名を検索するための行政地名検索リストＤなどが表示されている。行政地名検索リストＤで特定の行政地名を選択すると、さらにその行政地名における交差点名のリストが表示される。検索画面３３でさらに詳細なリストの絞り込みを行い（ステップＳ２）、道路地図１４を読み出す。すると図３、４に示したような画面の左側にメニューツール２５が表示され、右側に道路地図１４が表示される（ステップＳ３）。目的の道路地図１４が表示されたら（ステップＳ４でＹｅｓの場合）、道路地図１４上で調べたい場所の表示バー３０を確認する（ステップＳ５）。
【００２５】
資料の有無の閲覧を行う場合（ステップＳ６でＮｏの場合）は、表示バー３０の着色の有無を確認して資料が有れば（ステップＳ９でＹｅｓの場合）一覧表示ボタン２７を押し、敷地管理資料一覧１５を表示させて詳細情報を調べる（ステップＳ１０）。そして、詳細情報に含まれている保管場所を確認し、保管場所に保管されている敷地管理資料を閲覧する。
【００２６】
また、道路地図１４及び表示バー３０の編集（変更・追加・削除など）を行う場合（ステップＳ６でＹｅｓの場合）は、表示バー編集ボード２６などで表示バー３０の編集や表示ブロック３１の変更などを行う（ステップＳ７）。例えば、新たに資料が追加された場合には、図２に示したような敷地管理資料一覧１５を開いて新たな資料に関するデータを書き込んだ後、道路地図１４に表示されている表示バー３０のうち、新しい資料に関連する箇所の表示ブロックに着色する。また、資料を削除した場合には、対応する表示ブロックを白抜きにする。
【００２７】
新たな道路地図１４が追加された場合も同様である。すなわち、新しい道路地図１４をラスターデータに変換して読み込んだ後、当該地域に関する新しい敷地管理資料一覧１５を作成する。また、その地図に表示されている道路に沿って図７のような表示ブロック３１ａ〜３１ｃを順次並べて表示バー３０を作成する。そして、敷地管理資料一覧１５に各資料のデータを書き込み、資料が存在する箇所の表示バー３０を着色させる。
【００２８】
表示バー３０の編集が終了したら、道路地図１４を記憶装置１３に保存して処理を終了する（ステップＳ８）。
【００２９】
以上説明したように、本考案の管理資料検索装置１にあっては、道路地図１４に表示バー３０で資料の種類及び資料の有無を表示しているので、道路敷地管理資料一覧１５を順番に調べる必要が無く、道路地図１４を見ればその場所に関係する資料の種類や有無を容易に知ることができ、資料を探す時間を短縮することができる。また、道路地図１４は、ラスタデータで記憶装置１３に格納するようにしているので、データの大きさはベクトルデータと比べて小さくなり、マイコン１０の処理能力が低くても快適に操作でき、専用の装置（専用パソコンなど）を導入する必要がないので導入コストを節約できる。
【００３０】
なお、本実施例１においては、道路の敷地管理資料検索装置について説明したが、道路に限らず河川などのようにひも状に長い敷地の資料の検索であれば適用することができる。
【００３１】
また、図１０のステップＳ６において、表示バー３０を編集する場合にはパスワードなどを要求するようにし、パスワードを入力すると読み取り専用から読み書き可能となるようにしておけば、データを不用意に変更してしまったり消去してしまったりすることを防止できる。
【図面の簡単な説明】
【００３２】
【図１】道路敷地管理資料検索装置の構成を示すブロック図である。
【図２】道路敷地管理資料一覧を示した図である。
【図３】表示装置に道路地図を表示させた図である。
【図４】表示装置に道路地図を表示させた図３と別な図である。
【図５】道路地図に記録している表示バーの編集作業を説明する図である。
【図６】図５の続図である。
【図７】（ａ）（ｂ）（ｃ）は、表示ブロックのパターン例を示した図である。
【図８】道路地図を検索する画面を示した図である。
【図９】道路地図を検索する画面を示した図８と別な図である。
【図１０】資料の検索操作を説明するためのフローチャートである。
【符号の説明】
【００３３】
１    敷地管理資料検索装置１
１０    マイコン
１１    入力装置
１２    表示装置
１３    記憶装置
１４    道路地図
１５    道路敷地管理資料一覧
２０    情報項目欄
２１    情報記入欄
２５    メニューツール
３０    表示バー
３２、３３    検索画面
【図１】
0003117587.tif 000003
【図２】
0003117587.tif 000004
【図３】
0003117587.tif 000005
【図４】
0003117587.tif 000006
【図５】
0003117587.tif 000007
【図６】
0003117587.tif 000008
【図７】
0003117587.tif 000009
【図８】
0003117587.tif 000010
【図９】
0003117587.tif 000011
【図１０】
0003117587.tif 000012
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
ＣＲＴモニタや液晶モニタなどの表示装置と、
前記表示装置に画像を表示させるためのコンピュータと、
前記表示装置の画面に表示され、かつ、道路或いは河川を表示された地図と、
前記地図の上において、前記地図上の道路或いは河川の長さ方向に沿って複数のマークを連ねて表示された表示バーと、
を備えた管理資料検索装置であって、
前記道路或いは河川に沿った各地域と関連のある資料が保存されている地域とそのような資料が保存されていない地域とで前記マークを色分け表示して成る管理資料検索装置。
【請求項２】
前記地図上において、道路或いは河川の片側或いは両側に前記表示バーを表示した、請求項１に記載の管理資料検索装置。
【請求項３】
前記表示バーが、前記道路或いは河川に沿った各地域と関連のある資料の種類毎に複数本表示されており、関連のある資料が保存されている地域を表示する色が各表示バー毎に異なっている、請求項１又は２に記載の管理資料検索装置。
【手続補正２】
【補正対象書類名】明細書
【補正対象項目名】０００４
【補正方法】変更
【補正の内容】
【０００４】
本考案にかかる管理資料検索装置は、ＣＲＴモニタや液晶モニタなどの表示装置と、前記表示装置に画像を表示させるためのコンピュータと、前記表示装置の画面に表示され、かつ、道路或いは河川を表示された地図と、前記地図の上において、前記地図上の道路或いは河川の長さ方向に沿って複数のマークを連ねて表示された表示バーとを備えた管理資料検索装置であって、前記道路或いは河川に沿った各地域と関連のある資料が保存されている地域とそのような資料が保存されていない地域とで前記マークを色分け表示して成ることを特徴としている。
【手続補正３】
【補正対象書類名】明細書
【補正対象項目名】０００５
【補正方法】変更
【補正の内容】
【０００５】
本考案の管理資料検索装置は、道路或いは河川に沿って表示バーを設け、資料がある地域と資料の無い地域とを表示バーのマークを色分け表示して区別するようにしているので、地図を見れば容易に資料の有る場所と無い場所を判断することができる。
【手続補正４】
【補正対象書類名】明細書
【補正対象項目名】０００６
【補正方法】変更
【補正の内容】
【０００６】
本考案にかかる管理資料検索装置の実施態様は、前記地図上において、道路或いは河川の片側或いは両側に前記表示バーを表示したものである。
【手続補正５】
【補正対象書類名】明細書
【補正対象項目名】０００７
【補正方法】変更
【補正の内容】
【０００７】
本考案の該実施態様は、道路或いは河川の両側に表示バーを設けているので、道路の上り車線側の地域と下り車線側の地域を区別したり、河川のどちら側の岸かを区別したりすることができる。
【手続補正６】
【補正対象書類名】明細書
【補正対象項目名】０００８
【補正方法】変更
【補正の内容】
【０００８】
本考案にかかる管理資料検索装置の別な実施態様は、前記表示バーが、前記道路或いは河川に沿った各地域と関連のある資料の種類毎に複数本表示されており、関連のある資料が保存されている地域を表示する色が各表示バー毎に異なったものである。